(57)【特許請求の範囲】
【請求項１】
回動することで開閉自在なドアを少なくとも全開状態で固定するためのドアストッパーであって、
前記ドアの下部内部に設けられかつ回転自在なドア磁石と、前記ドアの全開状態の位置で前記ドア磁石に対向して床内に設けられた床磁石と、前記床磁石の動作に対応して動作しかつ前記ドアを前記全開状態で固定するストッパー部材とを有し、
前記ドアが前記全開状態の位置にきた時に前記ドア磁石と前記床磁石との作用によって前記ストッパー部材の床面上への突き出しと前記ストッパー部材の前記床面下への収納とを行い、
前記ドア磁石を回転させて前記床磁石側の極性を反転させる回転軸部材を含み、
前記回転軸部材による前記ドア磁石側の極性の反転にて前記ドア磁石と前記床磁石との間に反発力及び引力を生じさせて前記ストッパー部材の床面上への突き出しと前記ストッパー部材の前記床面下への収納とを行うことを特徴とするドアストッパー。
【請求項２】
前記ストッパー部材は、前記床面上への突き出された時に前記ドアを全開状態で固定することを特徴とする請求項１記載のドアストッパー。
【請求項３】
前記回転軸部材は、ドアノブの回転に連動して前記ドア磁石を回転させることを特徴とする請求項１または請求項２記載のドアストッパー。
【請求項４】
前記床磁石に接続されかつ前記床磁石の上下動に対応して前記ストッパー部材
の床面上への突き出しと前記ストッパー部材の前記床面下への収納とを行う可動
軸部材を含むことを特徴とする請求項１から請求項４のいずれか記載のドアストッパー。
【請求項５】
前記ドアが前記床磁石の上へ移動してきた時の前記ドア磁石と前記床磁石との間の反発力及び引力のいずれか一方にて前記可動軸部材を可動することで前記ストッパー部材を床面上から突き出して前記ドアを全開状態で固定し、前記ドアが全開状態で固定されている時に前記ドアノブの回転に連動して回転軸部材が前記ドア磁石を回転させてその極性を反転させる際の前記ドア磁石と前記床磁石との間の反発力及び引力のいずれか他方にて前記可動軸部材を可動することで前記ストッパー部材を床内に収納して前記ドアの固定を解除することを特徴とする請求項４記載のドアストッパー。
【発明の詳細な説明】
【技術分野】
【０００１】
本発明はドアストッパーに関し、特にドアを全開状態のままで固定するためのドアストッパーに関する。
【背景技術】
【０００２】
従来、この種のドアストッパーとしては、ドアに固定されているもの（例えば、特許文献１参照）、床面にすでに固定されているもの、ドアとその床下の隙間に固定物を詰めるもの（例えば、特許文献２参照）等がある。
【０００３】
上記のドアストッパーを用いなければ、ドアを全開状態のままにする際、ドアが風や外部からの振動等によって閉じてしまう場合があるため、ドアを確実に全開状態とする場合には、上記のドアストッパーを用いることでドアを固定している。
【０００４】
【特許文献１】特開２００３−２７８４２９号公報
【特許文献２】特開２００５−１３９６４６号公報
【発明の開示】
【発明が解決しようとする課題】
【０００５】
上述した従来のドアストッパーでは、床面に常時固定されている場合、ドアを保持していない時に、床面掃除の作業性が悪くなり、通行の妨げになる等のバリア・フリーに対応することができない等の問題がある。
【０００６】
また、従来のドアストッパーでは、ドア上部の固定式の場合、設置場所が高いことによって、使用者が限定されてしまう。さらに、従来のドアストッパーでは、ドアとその下部の床面との隙間に固定物を挟み込むタイプの場合、挟む行為やドアを閉じる際の取り外しが煩わしいという問題がある。
【０００７】
つまり、固定されているドアストッパーは、ストッパー未使用時、床面の掃除やワックス掛け等の際、その突起によって作業効率が悪くなり、人が歩行する際に転倒の危険がある。また、車椅子等の通行の際に障害となるため、車椅子等のバリア・フリーに対しても適していない。さらに、ドア上部の固定式ストッパーでは、ユーザーによっては手が届かず、使用者が限定されてしまう。
【０００８】
さらにまた、ドアとその床下の隙間を詰めるというドアストッパーについても、接続や取り外しが煩わしいという問題がある。以上のようなことから、ドアを全開放する時だけ、ストッパーを簡単に準備することができる方法が必要とされている。
【０００９】
そこで、本発明の目的は上記の問題点を解消し、取り付け／取り外しの手間を不要とし、床面掃除、一般の歩行や車椅子等の通行の妨げとなることなく、容易にドアを全開状態で固定することができるドアストッパーを提供することにある。
【課題を解決するための手段】
【００１０】
本発明によるドアストッパーは、回動することで開閉自在なドアを少なくとも全開状態で固定するためのドアストッパーであって、
前記ドアの下部内部に設けられかつ回転自在なドア磁石と、前記ドアの全開状態の位置で前記ドア磁石に対向して床内に設けられた床磁石と、前記床磁石の動作に対応して動作しかつ前記ドアを前記全開状態で固定するストッパー部材とを備え、
前記ドアが前記全開状態の位置にきた時に前記ドア磁石と前記床磁石との作用によって前記ストッパー部材の床面上への突き出しと前記ストッパー部材の前記床面下への収納とを行い、
前記ドア磁石を回転させて前記床磁石側の極性を反転させる回転軸部材を含み、
前記回転軸部材による前記ドア磁石側の極性の反転にて前記ドア磁石と前記床磁石との間に反発力及び引力を生じさせて前記ストッパー部材の床面上への突き出しと前記ストッパー部材の前記床面下への収納とを行っている。
【００１１】
すなわち、本発明のドアストッパーは、開きドア（以下、ドアとする）を保持する時のみ、ストッパーを床面より引き出すことによって、既存の床面固定式ストッパーのように、床面からの突き出し部分がなくなり、床面の掃除やワックス掛け等が行いやすい、人が歩行する際の転倒等を防ぎ、また車椅子等の通行に支障がなく、バリア・フリーに対応することを特徴としている。
【００１２】
また、本発明のドアストッパーは、ドア上部の固定式ストッパーのように、高い位置になく、使用者が限定されることはない。さらに、本発明のドアストッパーは、単体のストッパーのような、ドアの開閉に応じてストッパーの設置、取り外しの手間を省略することが可能となる。
【００１３】
より具体的に説明すると、本発明のドアストッパーは、ドアの床面側内部に設けたドア磁石と、床面内に収容可能に設けたストッパーと、ストッパーの床面に対する出し入れを行うための可動軸と、ドア磁石に対向する床面内に設けられかつ可動軸を上下動させる床磁石と、ドア磁石を回転させてその極性を反転させるためのドア磁石回転軸とから構成されている。
【００１４】
本発明のドアストッパーでは、ユーザがドアを床磁石の上へ移動させた時に、ドアの床面側内部に設けたドア磁石と床磁石との間での反発力または引力によって可動軸が可動してストッパーを床から突き出し、ドアを全開状態で固定する。ドアが全開状態で固定されている際に、ドアノブを回すことでドア磁石回転軸が可動してドア磁石を回転させてその極性を反転させるので、ドア磁石と床磁石との間での引力または反発力によって可動軸が可動してストッパーを床内に収納し、ドアの固定が解除されるため、ドアを閉めることが可能となる。
【００１５】
これによって、本発明のドアストッパーでは、ドアを固定する時だけ、床面よりストッパーを突き出すので、ドアがそれ以外の状態において、ストッパーが床面に平行となるよう床下に収納され、床面の掃除が行いやすくなり、一般の歩行や車椅子等の通行の妨げにもならない。また、本発明のドアストッパーでは、設置する高さによって、手が届かないということがなく、取り付け／取り外しに関してもその手間が不要となる。
【発明の効果】
【００１６】
本発明は、上記の構成及び動作によって、取り付け／取り外しの手間を不要とし、床面掃除、一般の歩行や車椅子等の通行の妨げとなることなく、容易にドアを全開状態で固定することができるという効果が得られる。
【発明を実施するための最良の形態】
【００１７】
次に、本発明の実施の形態について図面を参照して説明する。図１は本発明の実施の形態によるドアストッパーの構成を示す図である。図１において、本発明の実施の形態によるドアストッパーは、ドア５の床面側内部に設けたドア磁石１と、床面内に収容可能に設けたストッパー２ａ，２ｂと、ストッパー２ａ，２ｂの床面に対する出し入れを行うための可動軸３と、ドア磁石１に対向する床面内に設けられかつ可動軸３を上下動させる床磁石４と、ドア磁石１を回転させてその極性を反転させるためのドア磁石回転軸７とから構成されている。
【００１８】
本発明の実施の形態によるドアストッパーでは、ユーザがドア５を床磁石４の上へ移動させた時に、ドア５の床面側内部に設けたドア磁石１と床磁石４との間での反発力（斥力）または引力によって可動軸３が可動してストッパー２ａ，２ｂを床２２から突き出し、ドア５を全開状態で固定する。
【００１９】
ドア５が全開状態で固定されている際に、ドアノブ６を回すことでドア磁石回転軸７が可動してドア磁石１を回転させてその極性を反転させるので、ドア磁石１と床磁石４との間での引力または反発力によって可動軸３が可動してストッパー２ａ，２ｂを床内に収納し、ドア５の固定が解除されるため、ドア５を閉めることができるようになる。
【００２０】
これによって、本発明の実施の形態によるドアストッパーでは、ドア５を固定する時だけ、床面よりストッパー２ａ，２ｂを突き出すので、ドア５がそれ以外の状態において、ストッパー２ａ，２ｂが床面に平行となるよう床下に収納され、床面の掃除が行いやすくなり、一般の歩行や車椅子等の通行の妨げにもならない。また、本発明の実施の形態によるドアストッパーでは、設置する高さによって、手が届かないということがなく、取り付け／取り外しに関してもその手間が不要となる。
【実施例１】
【００２１】
次に、本発明の一実施例について説明する。本発明の一実施例によるドアストッパーは上記の図１に示す本発明の実施の形態によるドアストッパーと同様の構成となっており、本発明の実施の形態によるドアストッパーと同様の動作を行う。
【００２２】
図２は本発明の一実施例によるドアとストッパーとの位置関係を示す図である。図２においてはドア５とストッパー２ａ，２ｂとの位置関係を上から見た状態を示している。図２において、ストッパー２ａ，２ｂはドア５が全開放状態かつドア５の回転経路Ａ上の床２２の下に設置している。
【００２３】
図１においては、ストッパー２ａ，２ｂを横から拡大して見た状態を示している。本発明の一実施例によるドアストッパーは、ドア磁石１と、ストッパー２ａ，２ｂと、可動軸３と、床磁石４と、ドア磁石回転軸７とから構成されている。
【００２４】
ドア５下部には、ドア磁石１が設けられており、ドア磁石１はＮ極とＳ極とをもった永久磁石である。ドア５を開閉させる時、ドア５の動きに合わせてドア磁石１も動くことになる。また、ドアノブ６を回転させると、ドア磁石回転軸７によってドア磁石１が回転し、Ｎ極及びＳ極の位置が反転する。床磁石４は床２２の下に、上下動可能に動収容されており、ドア磁石１と同様に、Ｎ極とＳ極とをもった永久磁石である。
【００２５】
可動軸３は床磁石４と接続されており、床磁石４が上下動する時に、その動きに合わせて上下動するようになっている。可動軸３は、例えば、図示せぬレールや溝に沿って上下動するように設置することで、床磁石４の動きに合わせて動作させることができる。ストッパー２ａ，２ｂは可動軸３と接続されており、可動軸３の上下動に合わせて、床２２上に突き出したり、床２２の下に収容することができる。
【００２６】
図３〜図５は本発明の一実施例によるドアストッパーの動作を示す図である。図３〜図５においては、ストッパー２ａ，２ｂと、可動軸３と、床磁石４との接続状態を具体的に示している。つまり、ストッパー２ａ，２ｂは床２２の直下に設けられた支点ａ，ｂによって、その先端部分（ドア５と接触する部分）が回動自在に軸支されている。尚、図３〜図５では、支点ａ，ｂが床２２から突き出ているが、すべてを床２２の下に収容することで、床面の掃除やワック掛けの支障となることはない。
【００２７】
可動軸３はストッパー２ａ，２ｂに接続されるとともに、支点ｃ，ｄ及びスライダ部材ｅ，ｆを介して床磁石４に接続されている。また、床磁石４はコイルバネ８ａ，８ｂによって上方に付勢されている。
【００２８】
これによって、可動軸３は床磁石４が上方に引き上げられる時に、ストッパー２ａ，２ｂをその先端部分とともに床２２の直下に収容するように可動する。また、可動軸３は床磁石４が下方に引き下げられる時に、ストッパー２ａ，２ｂの先端部分を床２２から突き出すように可動する。
【００２９】
以下、図３〜図５を参照して本発明の一実施例によるドアストッパーの動作について説明する。
【００３０】
ユーザが、図３に示すように、ドア５を壁面２１方向へ回動させることで、図４に示すように、ドア磁石１が床磁石４上に位置する。この時、ドア磁石１のＮ極と床磁石４のＮ極とが向き合い、ドア磁石１と床磁石４との間に反発力が発生する。この反発力によって、床磁石４は床２２に対して下方向に移動する。
【００３１】
床磁石４の下方向への移動に合わせて、可動軸３が下方向に引き下げられるように可動するため、可動軸３によってストッパー２ａ，２ｂが床２２よりも上に持ち上げられて突き出し、ドア５を固定する。
【００３２】
このドア５を固定している状態で、ユーザがドアノブ６を回転させると、ドア磁石回転軸７も動作し、図５に示すように、ドア磁石１を回転させてその極性を反転させる。これによって、ドア磁石１のＳ極と床磁石４のＮ極とが向き合うので、ドア磁石１と床磁石４との間に引力が発生する。この引力によって、床磁石４は床２２に対して上方向に移動する。
【００３３】
床磁石４の上方向への移動に合わせて、可動軸３が上方向に引き上げられるように可動するため、可動軸３によってストッパー２ａ，２ｂが床２２の下に収納されるので、固定されたドア５が固定状態から解除される。
【００３４】
このように、本実施例では、ドアストッパー２ａ，２ｂを床２２の下に収納することによって、固定ドアストッパーのような、常に床面上に突起部分等があるということがなくなる。したがって、本実施例では、床面が常に平面になるため、床面掃除やワックス掛け等を容易に行うことができ、人が転倒する危険性を小さくすることができ、車椅子等の通行の妨げにならない（バリア・フリー化）等の効果が得られる。
【００３５】
また、本実施例では、ドア５の開閉に応じてストッパー２ａ，２ｂが開閉するので、床２２の下の隙間に挟み込むタイプのドアストッパーと比べ、取り付け／取り外しの手間を省くことができる。
【００３６】
尚、本実施例では、２個のストッパー２ａ，２ｂによってドア５を挟むようにしているが、ドア５壁２１から遠い位置にあるストッパー２ｂのみを開閉させるようにしてもよく、これに限定されない。
【００３７】
また、本実施例では、可動軸３を支点ｃ，ｄ及びスライダ部材ｅ，ｆを用いて床磁石４に接続させているが、上記のような動作が可能であれば、他の部材を用いて可動軸３と床磁石４とを接続させてもよく、これに限定されない。
【００３８】
さらに、本実施例では、ドア磁石１と床磁石４との間の反発力を用いてストッパー２ａ，２ｂを床２２の上に突き出し、ドア磁石１と床磁石４との間の引力を用いてストッパー２ａ，２ｂを床２２の下に収容しているが、ドア磁石１と床磁石４との間の引力を用いててストッパー２ａ，２ｂを床２２の上に突き出し、ドア磁石１と床磁石４との間の反発力を用いてストッパー２ａ，２ｂを床２２の下に収容してもよく、これに限定されない。尚、ドア磁石１と床磁石４との間の反発力はコイルバネ８ａ，８ｂの復元力よりも大きいものとする。
【実施例２】
【００３９】
図６は本発明の他の実施例によるドアストッパーの構成を示す図である。図６において、本発明の他の実施例によるドアストッパーは、本発明の一実施例によるストッパーを長方形板９に置き換え、ドア５が閉まった状態で長方形板９が床２２より起き上がるようにすることで、ドア５と床２２との間の隙間を長方形板９で埋め、室内の気密性を高めることができる。
【実施例３】
【００４０】
図７は本発明の別の実施例によるドアストッパーの構成を示す図である。図７において、本発明の別の実施例によるドアストッパーは、可動軸３をストッパー２ａ，２ｂと接続させず、ドア磁石１による床磁石４の引き上げ、引き下げに対応してストッパー２ａ，２ｂの床２２の上への突き出し、床２２の下への収容を行うようにした以外は、図１に示す本発明の実施の形態によるドアストッパーと同様の構成となっている。
【００４１】
図８は本発明の別の実施例によるドアストッパーの動作を示す図である。これら図７及び図８を参照して本発明の別の実施例によるドアストッパーの動作について説明する。
【００４２】
まず、ドア５を開閉可能とするために、本実施例では、図８に示すように、ドア磁石１のＮ極と床磁石４のＮ極とが向き合うようにしておく。この状態で、ドア５を回動させて床磁石４の直上まで移動させ、ドアノブ６を回転させると、ドア磁石回転軸７が動作し、ドア磁石１を回転させてその極性を反転させる。
【００４３】
これによって、ドア磁石１のＳ極と床磁石４のＮ極とが向き合うので、ドア磁石１と床磁石４との間に引力が発生する。この引力によって、床磁石４がドア磁石１側に引き寄せられ、可動軸３が床磁石４と同方向に移動するので、ストッパー２ａ，２ｂが可動軸３によって床２２の上に押し上げられ、ドア５がストッパー２ａ，２ｂによって固定される。
【００４４】
ドア５がストッパー２ａ，２ｂによって固定されている状態で、ドアノブ６を回転させると、ドア磁石回転軸７が動作し、ドア磁石１を回転させてその極性を反転させる。
【００４５】
これによって、ドア磁石１のＮ極と床磁石４のＮ極とが向き合うので、ドア磁石１と床磁石４との間に反発力が発生する。この反発力によって、床磁石４がドア磁石１側から押し下げられ、可動軸３が床磁石４と同方向に移動するので、ストッパー２ａ，２ｂに対する可動軸３の押し上げ力が解除され、ストッパー２ａ，２ｂが自然落下して床２２の下に収容され、ストッパー２ａ，２ｂによるドア５の固定状態が解除される。
【００４６】
このように、本実施例では、上述した本発明の一実施例と同様の効果が得られるとともに、その部品点数を本発明の一実施例よりも少なくすることができるので、ドアストッパーを安価にかつ簡単な構造で提供することができる。
【図面の簡単な説明】
【００４７】
【図１】本発明の実施の形態によるドアストッパーの構成を示す図である。
【図２】本発明の一実施例によるドアとストッパーとの位置関係を示す図である。
【図３】本発明の一実施例によるドアストッパーの動作を示す図である。
【図４】本発明の一実施例によるドアストッパーの動作を示す図である。
【図５】本発明の一実施例によるドアストッパーの動作を示す図である。
【図６】本発明の他の実施例によるドアストッパーの構成を示す図である。
【図７】本発明の別の実施例によるドアストッパーの構成を示す図である。
【図８】本発明の別の実施例によるドアストッパーの動作を示す図である。
【符号の説明】
【００４８】
１  ドア磁石
２ａ，２ｂ  ストッパー
３  可動軸
４  床磁石
５  ドア
６  ドアノブ
７  ドア磁石回転軸
８ａ，８ｂ  コイルバネ
９  長方形板
ａ〜ｄ  支点
ｅ，ｆ  スライダ部材
【図１】
0004512024.tif 000002
【図２】
0004512024.tif 000003
【図３】
0004512024.tif 000004
【図４】
0004512024.tif 000005
【図５】
0004512024.tif 000006
【図６】
0004512024.tif 000007
【図７】
0004512024.tif 000008
【図８】
0004512024.tif 000009